(57)【特許請求の範囲】
【請求項１】
異常を検出して異常発生を示す異常警報音を出力すると共に異常連動信号を送信する警報器と、非常時に非常操作を行う発信機を設置し、前記発信機は前記非常操作を判別した場合に前記警報器に対し非常通報信号を送信し、前記警報器は非常通報信号を受信した場合に非常通報を示す異常警報音を出力する警報システムに於いて、
前記発信機は、
非常通報操作、試験指示操作及び警報器の宛先指定操作を行う操作部と、
前記操作部による非常通報操作の指示入力を検出した場合に、非常通報信号を送信する発信制御部と、
前記操作部による前記試験指示操作と宛先指定操作の指示入力を検出した場合に、特定の警報器又は全ての警報器を一括して宛先に指定した試験指示信号を送信する試験指示部と、
を備え、
前記警報器は、前記発信機から自己又は全ての警報器を一括して宛先に指定した試験指示信号を受信した場合に、前記異常警報音の内の音圧測定を行う所定箇所を試験音として連続して又は繰返して出力させる音圧測定試験を実行することを特徴とする警報システム。
【請求項２】
異常を検出して異常発生を示す異常警報音を出力すると共に異常連動信号を送信する警報器と、非常時に非常操作を行う発信機を設置し、前記発信機は前記非常操作を判別した場合に前記警報器に対し非常通報信号を送信し、前記警報器は非常通報信号を受信した場合に非常通報を示す異常警報音を出力する警報システムに於いて、
前記発信機は、
所定の試験指示操作を判別した場合に、特定の警報器又は全ての警報器を一括して宛先に指定した遠隔試験実行を示す試験信号を送信し、
前記警報器は、
火災等の異常発生を判別した場合に、連動元を示す異常警報音を出力すると共に他の警報器に異常連動信号を無線送信し、一方、他の警報器からの異常連動信号を受信した場合に、連動先を示す異常警報音を出力させる警報処理部と、
前記発信機から自己又は全ての警報器を一括して宛先に指定した試験指示信号を受信した場合に、前記異常警報音の内の音圧測定を行う所定箇所を試験音として繰返し出力させる音圧測定試験を実行する試験実行部と、
前記試験実行部による音圧測定試験中に、前記警報処理部により他の警報器からの異常連動信号を受信した場合に、前記音圧測定試験を中断して連動先を示す異常警報音を出力させる試験中断部と、
を備えたことを特徴とする警報システム。
【請求項３】
請求項２記載の警報システムに於いて、前記警報器の試験実行部は、自己又は全ての警報器を一括して宛先に指定した前記試験指示信号を受信してから所定時間に亘り前記試験音を出力させることを特徴とする警報システム。
【請求項４】
請求項２記載の警報システムに於いて、前記警報器の試験中断部は、音圧測定試験中に異常発生を判別した場合に、前記試験音を中断した後に試験中に異常が発生したことを示すメッセージを含む所定パターンの異常警報音を出力させることを特徴とする警報システム。
【請求項５】
請求項２記載の警報システムに於いて、前記警報器の試験実行部は、前記異常警報音の内、信号振幅が一定で周波数が所定範囲で変化するスイープ音を試験音として繰返し出力させることを特徴とする警報システム。
【請求項６】
異常を検出して異常発生を示す異常警報音を出力すると共に異常連動信号を送信する警報器と、照明操作により照明制御を示す照明制御信号を送信するリモコン装置と、前記警報器からの異常連動信号又は前記リモコン装置からの照明制御信号を受信して所定エリアを照明する照明装置とを設置した警報システムに於いて、
前記照明装置は、
所定エリアを照明する照明部と、
前記警報器から異常連動信号又は前記リモコン装置からの照明制御信号を受信した場合に、前記受信信号の内容に応じて前記照明部を点灯または消灯する照明制御部と、
を備え、
前記リモコン装置は、
点灯操作、試験指示操作及び警報器の宛先指定操作を行う操作部と、
前記操作部による試験指示操作及び警報器の宛先指定操作による指示入力を検出した場合に、特定の警報器又は全ての警報器を一括して宛先に指定した試験指示信号を送信する試験指示部と、
を備え、
前記警報器は、前記リモコン装置から自己又は全ての警報器を一括して宛先に指定した試験指示信号を受信した場合に、前記異常警報音の内の音圧測定を行う所定箇所を試験音として連続して又は繰返して出力させる音圧測定試験を実行することを特徴とする警報システム。
【請求項７】
異常を検出して異常発生を示す異常警報音を出力すると共に異常連動信号を送信する警報器と、照明操作により照明制御を示す照明制御信号を送信するリモコン装置と、前記警報器からの異常連動信号又は前記リモコン装置からの照明制御信号を受信して所定エリアを照明する照明装置とを設置した警報システムに於いて、
前記リモコン装置は、
所定の試験指示操作を判別した場合に、特定の警報器又は全ての警報器を一括して宛先に指定した試験指示信号を送信し、
前記警報器は、
火災等の異常発生を判別した場合に、連動元を示す異常警報音を出力すると共に他の警報器に異常連動信号を送信し、一方、他の警報器からの異常連動信号を受信した場合に、連動先を示す異常警報音を出力させる警報処理部と、
前記リモコン装置から自己又は全ての警報器を一括して宛先に指定した試験指示信号を受信した場合に、前記異常警報音の内の音圧測定を行う所定箇所を試験音として繰返し出力させる音圧測定試験を実行する試験実行部と、
前記試験実行部による音圧測定試験中に、前記警報処理部により他の警報器からの異常連動信号を受信した場合に、前記音圧測定試験を中断して連動先を示す異常警報音を出力させる試験中断部と、
を備えたことを特徴とする警報システム。
【請求項８】
請求項７記載の警報システムに於いて、前記警報器の試験実行部は、自己又は全ての警報器を一括して宛先に指定した試験指示信号を受信してから所定時間に亘り前記試験音を出力させることを特徴とする警報システム。
【請求項９】
請求項７記載の警報システムに於いて、前記警報器の試験中断部は、音圧測定試験中に異常発生を判別した場合に、前記試験音を中断した後に試験中に異常が発生したことを示すメッセージを含む所定パターンの異常警報音を出力させることを特徴とする警報システム。
【請求項１０】
請求項７記載の警報システムに於いて、前記警報器の試験実行部は、前記異常警報音の内、信号振幅が一定で周波数が所定範囲で変化するスイープ音を試験音として繰返し出力させることを特徴とする警報システム。
【請求項１１】
異常を検出して異常発生を示す異常警報音を出力すると共に異常連動信号を送信する警報器と、前記警報器からの異常連動信号を受信して所定エリアを照明する照明装置とを設置した警報システムに於いて、
前記照明装置は所定の試験指示操作を判別した場合に、特定の警報器又は全ての警報器を一括して宛先に指定した試験指示信号を送信し、
前記警報器は前記照明装置から自己又は全ての警報器を一括して宛先に指定した試験指示信号を受信した場合に、前記異常警報音の内の音圧測定を行う所定箇所を試験音として連続して又は繰返して出力させる音圧測定試験を実行することを特徴とする警報システム。
【請求項１２】
請求項１１記載の警報システムに於いて、
前記照明装置は、
所定エリアを照明する照明部と、
前記警報器から連動信号を受信した場合に、前記受信信号の内容に応じて前記照明部を点灯または消灯する照明制御部と、
点灯操作、試験指示操作及び警報器の宛先指定操作を行う操作部と、
前記操作部による試験指示操作及び警報器の宛先指定操作による指示入力を検出した場合に、特定の警報器又は全ての警報器を一括して宛先に指定した試験指示信号を送信する試験指示部と、
を備え、
前記警報器は、
火災等の異常発生を判別した場合に、連動元を示す異常警報音を出力すると共に他の警報器に異常連動信号を送信し、一方、他の警報器からの異常連動信号を受信した場合に、連動先を示す異常警報音を出力させる警報処理部と、
前記照明装置から自己又は全ての警報器を一括して宛先に指定した試験指示信号を受信した場合に、前記異常警報音の内の音圧測定を行う所定箇所を試験音として繰返し出力させる音圧測定試験を実行する試験実行部と、
前記試験実行部による音圧測定試験中に、前記警報処理部により他の警報器からの異常連動信号を受信した場合に、前記音圧測定試験を中断して連動先を示す異常警報音を出力させる試験中断部と、
を備えたことを特徴とする警報システム。
【請求項１３】
請求項１２記載の警報システムに於いて、前記警報器の試験実行部は、自己又は全ての警報器を一括して宛先に指定した試験指示信号を受信してから所定時間に亘り前記試験音を出力させることを特徴とする警報システム。
【請求項１４】
請求項１２記載の警報システムに於いて、前記警報器の試験中断部は、音圧測定試験中に異常発生を判別した場合に、前記試験音を中断した後に試験中に異常が発生したことを示すメッセージを含む所定パターンの異常警報音を出力させることを特徴とする警報システム。
【請求項１５】
請求項１２記載の警報システムに於いて、前記警報器の試験実行部は、前記異常警報音の内、信号振幅が一定で周波数が所定範囲で変化するスイープ音を試験音として繰返し出力させることを特徴とする警報システム。
【発明の詳細な説明】
【技術分野】
【０００１】
本発明は、無線により連動する警報器及び発信機を設けた警報システムに関し、特に、警報器から出力される警報音の音圧測定試験機能を備えた警報システムに関する。
【背景技術】
【０００２】
従来、住宅における火災やガス漏れなどの異常（異状）を検知して警報する警報器が普及している。このうち、住宅用火災警報器を住警器と言う。
【０００３】
このような住警器にあっては、住警器内にセンサ部と警報部を一体に備え、センサ部の検出信号から火災を検知すると警報部から所定パターンの火災警報音を出力するようにしており、専用の受信設備等を必要とせず住警器単体で火災監視と警報ができることから、設置が簡単でコスト的にも安価であり、一般住宅での設置義務化に伴い広く普及している。
【０００４】
また、複数の住警器間で通信を行うことによって、任意の住警器で火災警報音が出力されると、他の住警器でも連動して火災警報音を出力させる連動型の住警器システムも提案されている。
【０００５】
このような連動型の住警器システムでは、住警器で火災を検知した場合、火災を検知した連動元の住警器は、メッセージと警報音を含む所定パターンの火災警報音、例えば「ウーウー火災警報器が作動しました  確認してください」を出力し、一方、連動先の警報器では例えば「ウーウー  別の火災警報器が作動しました  確認してください」といった火災警報音を出力するようにしている。ここで、火災警報音の内の「ウーウー」の部分は例えば２Ｈｚから３ＫＨｚまでのスイープ音としている。
【０００６】
連動型の警報システムにあっては、住宅に対する施工時及び定期点検時などに設置している住警器のスピーカから所要の音量がでることを確認するため、必要に応じ音圧測定試験を行っている。この音圧測定試験は、試験対象とする住警器から所定距離を隔てた位置に騒音計（音圧計）を設置し、例えば火災警報音の内の音圧が一定で周波数を変化させている音圧測定に適した火災警報音の部分であるスイープ警報音「ウーウー」の出力について騒音計のピーク値を読取るようにしている。
【０００７】
しかしながら、火災警報音の中のスイープ警報音を試験音とした音圧測定試験にあっては、繰り返し出力される火災警報音の中のスイープ警報音の出力時に、測定者は騒音計の指針が安定しない状況で、そのピーク値を読み取る必要があり、その読み取りに失敗した場合は、再度スイープ警報音の試験音が出力されるまでの間待つ必要があり、音圧測定試験に手間と時間がかかる問題があった。
【０００８】
そこで従来の音圧測定試験では、音声警報信号の中の音圧測定試験に適したスイープ警報音を試験音として連続して出力し、スイープ警報音が出力される測定タイミングを待つことなく音圧測定試験が容易にできるようにしている。
【先行技術文献】
【特許文献】
【０００９】
【特許文献１】特開平８−０１６９７１号公報
【特許文献２】特開平５−２８２５６６号公報
【特許文献３】特開２０００−００３４８６号公報
【発明の概要】
【発明が解決しようとする課題】
【００１０】
ところで、このような従来の連動型警報システムにおける住警器の音圧測定試験にあっては、住警器の設置場所に騒音計を設置し、住警器に設けているスイッチを操作してスピーカから試験音を出力させており、住警器は部屋の天井近い壁面などの高い場所に設置されていることから住警器の操作に手間がかかり、全ての住警器の音圧測定試験を終了するまでに時間がかかるという問題がある。
【００１１】
また音圧測定試験中に万一火災が発生した場合、火災を検知した連動元の住警器およびそれ以外の連動先の住警器から所定パターンの火災警報音を出力する。しかしながら、音圧測定試験を行っている住警器はスイープ警報音を試験音として連続出力中であることから、試験中の住警器について試験停止操作を行わないと火災警報音を出力することができず、試験を行っている住警器からの火災警報音が適切出力されない恐れがある。
【００１２】
更に連動型の住警器にあっては、１つの住宅内の火災発生の可能性のある台所、居間、寝室、子供部屋といった複数の場所に設置しており、火災発生時には例えば無線通信による連動により全ての住警器が火災警報音を出力するようになる。この場合、住警器を設置していない部屋や廊下などについても、充分な音量で住警器からの火災警報音が聞き取れることが必要であるが、住警器を設置していない場所での音圧を測定するような試験は行われておらず、このため、火災が発生した場合に、在宅者が居る場所によっては火災警報音が充分に聞き取れずに対応が遅れる可能性がある。
【００１３】
また住警器の設置作業を行う場合、従来は住警器に対し所定距離に騒音計を設置して行う音圧測定試験しか行っておらず、住警器を設置していない場所を考慮した設置が充分にできない可能性が残る。このような問題点を解決するためには、住警器を設置していない場所で音圧測定を行い、もし音圧が不足しているようであれば、住警器の設置場所を変更するといった対応をとることが必要になる。
【００１４】
本発明は、警報器を設置していない場所も考慮したスピーカの音圧測定試験を容易に可能にすると共に、音圧測定試験中に火災が発生した場合の対応を適切かつ迅速に行えるようにする連動型の警報器を提供することを目的とする。
【課題を解決するための手段】
【００１５】
（第１発明）
本願の第１発明は、異常を検出して異常発生を示す異常警報音を出力すると共に異常連動信号を送信する警報器と、非常時に非常操作を行う発信機を設置し、発信機は非常操作を判別した場合に警報器に対し非常通報信号を送信し、警報器は非常通報信号を受信した場合に非常通報を示す異常警報音を出力する警報システムに於いて、
発信機は所定の試験指示操作を判別した場合に、特定の警報器又は全ての警報器を一括して宛先に指定した試験指示信号を送信し、
警報器は、発信機から自己又は全ての警報器を一括して宛先に指定した試験指示信号を受信した場合に、異常警報音の内の音圧測定を行う所定箇所を試験音として連続して又は繰返して出力させる音圧測定試験を実行することを特徴とする。
【００１６】
ここで、
発信機は、
非常通報操作、試験指示操作及び警報器の宛先指定操作を行う操作部と、
操作部による非常通報操作の指示入力を検出した場合に、非常通報信号を送信させる発信制御部と、
操作部による試験指示操作と宛先指定操作の指示入力を検出した場合に、特定の警報器又は全ての警報器を一括して宛先に指定した試験指示信号を送信する試験指示部と、
を備え、
警報器は、
火災等の異常発生を判別した場合に、連動元を示す異常警報音を出力すると共に他の警報器に異常連動信号を無線送信し、一方、他の警報器からの異常連動信号を受信した場合に、連動先を示す異常警報音を出力させる警報処理部と、
発信機から自己又は全ての警報器を一括して宛先に指定した試験指示信号を受信した場合に、異常警報音の内の音圧測定を行う所定箇所を試験音として繰返し出力させる音圧測定試験を実行する試験実行部と、
試験実行部による音圧測定試験中に、警報処理部により他の警報器からの異常連動信号を受信した場合に、音圧測定試験を中断して連動先を示す異常警報音を出力させる試験中断部と、
を備える。
【００１７】
警報器の試験実行部は自己又は、全ての警報器を一括して宛先に指定した試験指示信号を受信してから所定時間に亘り試験音を出力させる。
【００１８】
警報器の試験中断部は、音圧測定試験中に異常発生を判別した場合に、試験音を中断した後に試験中に異常が発生したことを示すメッセージを含む所定パターンの異常警報音を出力させる。
【００１９】
警報器の試験実行部は、記異常警報音の内、信号振幅が一定で周波数が所定範囲で変化するスイープ音を試験音として繰返し出力させる。
【００２０】
（第２発明）
本願の第２発明は、異常を検出して異常発生を示す異常警報音を出力すると共に異常連動信号を送信する警報器と、照明操作により照明制御を示す照明制御信号を送信するリモコン装置と、警報器からの異常連動信号又はリモコン装置からの照明制御信号を受信して所定エリアを照明する照明装置とを設置した警報システムに於いて、
リモコン装置は、所定の試験指示操作を判別した場合に、特定の警報器又は全ての警報器を一括して宛先に指定した試験指示信号を送信し、
警報器は、リモコン装置から自己又は全ての警報器を一括して宛先に指定した試験指示信号を受信した場合に、異常警報音の内の音圧測定を行う所定箇所を試験音として連続して又は繰返して出力させる音圧測定試験を実行する。
【００２１】
ここで、照明装置は、
所定エリアを照明する照明部と、
警報器から異常連動信号又はリモコン装置からの照明制御信号を受信した場合に、受信信号の内容に応じて照明部を点灯または消灯する照明制御部と、
を備え、
リモコン装置は、
点灯操作、試験指示操作及び警報器の宛先指定操作を行う操作部と、
操作部による試験指示操作及び警報器の宛先指定操作による指示入力を検出した場合に、特定の警報器又は全ての警報器を一括して宛先に指定した試験指示信号を送信する試験指示部と、
を備え、
警報器は、
火災等の異常発生を判別した場合に、連動元を示す異常警報音を出力すると共に他の警報器に異常連動信号を送信し、一方、他の警報器からの異常連動信号を受信した場合に、連動先を示す異常警報音を出力させる警報処理部と、
リモコン装置から自己又は全ての警報器を宛先に指定した試験指示信号を受信した場合に、異常警報音の内の音圧測定を行う所定箇所を試験音として繰返し出力させる音圧測定試験を実行する試験実行部と、
試験実行部による音圧測定試験中に、警報処理部により他の警報器からの異常連動信号を受信した場合に、音圧測定試験を中断して連動先を示す異常警報音を出力させる試験中断部と、
を備えたことを特徴とする。
【００２２】
警報器の試験実行部は、自己又は全ての警報器を一括して宛先に指定した試験指示信号を受信してから所定時間に亘り試験音を出力させる。
【００２３】
警報器の試験中断部は、音圧測定試験中に異常発生を判別した場合に、試験音を中断した後に試験中に異常が発生したことを示すメッセージを含む所定パターンの異常警報音を出力させる。
【００２４】
警報器の試験実行部は、記異常警報音の内、信号振幅が一定で周波数が所定範囲で変化するスイープ音を試験音として繰返し出力させる。
【００２５】
（第３発明）
本願の第３発明は、異常を検出して異常発生を示す異常警報音を出力すると共に異常連動信号を送信する警報器と、前記警報器からの異常連動信号を受信して所定エリアを照明する照明装置とを設置した警報システムに於いて、
照明装置は所定の試験指示操作を判別した場合に、特定の警報器又は全ての警報器を一括して宛先に指定した試験指示信号を送信し、
警報器は照明装置から自己又は全ての警報器を一括して宛先に指定した試験指示信号を受信した場合に、異常警報音の内の音圧測定を行う所定箇所を試験音として連続して又は繰返して出力させる音圧測定試験を実行することを特徴とする。
【００２６】
ここで、照明装置は、
所定エリアを照明する照明部と、
警報器から連動信号を受信した場合に、受信信号の内容に応じて照明部を点灯または消灯する照明制御部と、
点灯操作、試験指示操作及び警報器の宛先指定操作を行う操作部と、
操作部による試験指示操作及び警報器の宛先指定操作による指示入力を検出した場合に、特定の警報器又は全ての警報器を一括して宛先に指定した試験指示信号を送信する試験指示部と、
を備え、
警報器は、
火災等の異常発生を判別した場合に、連動元を示す異常警報音を出力すると共に他の警報器に異常連動信号を送信し、一方、他の警報器からの異常連動信号を受信した場合に、連動先を示す異常警報音を出力させる警報処理部と、
照明装置から自己又は全ての警報器を一括して宛先に指定した試験指示信号を受信した場合に、異常警報音の内の音圧測定を行う所定箇所を試験音として繰返し出力させる音圧測定試験を実行する試験実行部と、
試験実行部による音圧測定試験中に、警報処理部により他の警報器からの異常連動信号を受信した場合に、音圧測定試験を中断して連動先を示す異常警報音を出力させる試験中断部と、
を備えるム。
【００２７】
警報器の試験実行部は、自己又は全ての警報器を一括して宛先に指定した試験指示信号を受信してから所定時間に亘り前記試験音を出力させる。
【００２８】
警報器の試験中断部は、音圧測定試験中に異常発生を判別した場合に、試験音を中断した後に試験中に異常が発生したことを示すメッセージを含む所定パターンの異常警報音を出力させる器。
【００２９】
警報器の試験実行部は、記異常警報音の内、信号振幅が一定で周波数が所定範囲で変化するスイープ音を試験音として繰返し出力させる。
【発明の効果】
【００３０】
本発明によれば、警報システムに発信機及び／又は照明装置を設け、操作しやすい位置に設置されている発信機や照明装置、或いは照明装置を操作する可搬型のリモコン装置の試験操作により試験を行う特定の住警器を指定した音圧測定試験実行を指示する試験指示信号が送信され、例えば天井面等の高所や手の届かない位置に設置されている住警器の操作を必要とせずに遠隔的に音圧測定試験の実行を指示することができ、住警器の音圧測定試験を容易に行うことができ、試験に要する作業時間も短縮できる。
【００３１】
また発信機は手の届く位置に例えば壁掛け状態で設置されていることから簡単に取外して持ち運ぶことができ、また照明装置用のリモコン装置（以下、単に「リモコン装置」ということがある）は元来持ち運び可能であることから、試験を行う警報器の設置場所に出向いて騒音計を設置して準備できたならば、携帯している発信機又はリモコン装置の試験操作により遠隔的に住警器から試験音を出力させればよく、警報器の比較的遠方でも警報器の音圧測定試験が簡単にできる。
【００３２】
また発信機またはリモコン装置を使用して住宅に設置している複数、例えば全ての住警器を一括指定して試験指示信号を送信し、全ての警報器から試験音を出力（一斉鳴動試験）させ、この状態で住警器を設置していない場所（例えば廊下、玄関、浴室など）に騒音計を設置して音圧測定を行うことで、実際に火災が発生した場合に住警器を設置していない場所でどの程度の音圧が得られるかを定量的に把握することができ、もし音圧（音量）が不足しているような場合には住警器の設置場所を変更する、或いは新たに住警器を補完的に設置するといった適切な対応をとることができる。
【００３３】
また警報器に設けたスピーカから、火災警報音の中の音圧測定試験に適した信号箇所、例えばスイープ警報音の箇所を試験音として連続して或いは繰り返して出力している試験中に自己の監視領域の火災を検知した場合或いは他の場所で火災が発生して火災連動信号が受信された場合、試験音を出力する音圧測定試験を中断して連動元や連動先を示す火災警報音を出力するため、試験中の警報器であっても、音圧測定試験の停止操作などを行なうことなく、自動的に音圧測定試験が中断されて適切に火災警報音を出力させ、試験中であっても火災発生に対し適切且つ迅速に対応できる。特に、音圧試験中、見えない場所の警報器が作動した場合にも試験中断し連動先としての火災警報が出力されるので、一層安全が確保される。
【図面の簡単な説明】
【００３４】
【図１】住宅に連動型の住警器、発信機、照明装置及びリモコン装置を設けた本発明による警報システムの実施形態を示した説明図
【図２】本発明の警報システムに設けた住警器の外観を示した説明図
【図３】本発明の警報システムに設けた発信機の外観を示した説明図
【図４】本発明の警報システムに設けた照明装置の外観を示した説明図
【図５】本発明の警報システムに設けた住警器の遠隔操作による音圧測定試験の動作を示した説明図
【図６】本発明の警報システムに設けた住警器の音圧測定試験中に火災が発生した場合の動作を示した説明図
【図７】本発明の警報システムに設けた住警器の実施形態を示したブロック図
【図８】図７の住警器で使用する連動信号のフォーマットを示した説明図
【図９】本発明の警報システムに設けた発信機の実施形態を示したブロック図
【図１０】図９の発信機で使用する非常通報信号および試験指示信号のフォーマットを示した説明図
【図１１】本発明の警報システムに設けた照明装置の実施形態を示したブロック図
【図１２】本発明の警報システムに設けたリモコン装置の実施形態を示したブロック図
【図１３】図１２のリモコン装置で使用する証明制御信号および試験指示信号のフォーマットを示した説明図
【図１４】図７の住警器による監視処理を示したフローチャート
【図１５】図１４に続く住警器の監視処理を示したフローチャート
【図１６】図１５のステップＳ１９における音圧測定試験処理の詳細を示したフローチャート
【図１７】図９の発信機による発信機処理を示したフローチャート
【図１８】図１１の照明装置による照明処理を示したフローチャート
【図１９】図１２のリモコン装置によるリモコン処理を示したフローチャート
【図２０】本発明の警報システムに設けた照明装置の他の実施形態を示したブロック図
【図２１】図２０の照明装置による照明処理を示したフローチャート
【発明を実施するための形態】
【００３５】
図１は住宅において本発明による警報システムを適用した場合の設置状態を例示した説明図である。図１の例にあっては、住宅２４に設けられている台所、居間、子供部屋、主寝室、階段室のそれぞれの警戒エリアに火災を検知して警報する無線式の住警器（住宅用火災警報器）１０−１〜１０−６（区別せず総称する場合には「住警器１０」という場合がある）が設置され、また台所には無線式の発信機１００が設置されている。発信機１００は例えば半固定の壁掛け設置としており、必要な場合には取り外して持ち運ぶことができる。
【００３６】
更に、寝室、階段室及び廊下には照明装置２００−１〜２００−３（区別せず総称する場合には「照明装置２００」という場合がある）が設置され、寝室には照明装置２００に対して照明制御を指示操作する可搬型のリモコン装置３００が設けられており、リモコン装置３００は持ち運んで適宜の場所で使用できる。勿論、リモコン装置３００は照明装置２００−１〜２００−３毎に設けても良い。
【００３７】
住警器１０は、火災等の連動信号を無線により相互に送受信する機能を備え、住宅各所の、それぞれ対応する監視領域について火災監視を行っている。いま住宅２４の台所で万一、火災が発生したとすると、火災発生場所（台所）の住警器１０−１が火災を検知して警報を開始する。この火災を検知して警報を開始することを、住警器における「発報」という。
【００３８】
住警器１０−１が発報するとき、住警器１０−１は連動元として機能し、連動先となる他の住警器１０−２〜１０−６に対し、火災連動信号を無線により送信する。他の住警器１０−２〜１０−６は、連動元の住警器１０−１からの火災連動信号を有効受信した場合に、警報音と警報表示により連動先としての警報動作を行う。
【００３９】
ここで有効受信とは、受信した連動信号に含まれるグループ符号がメモリに登録しているグループ符号に一致した場合、つまり受信した連動信号が自己の属する連動グループ内の信号である場合（且つ信号の内容を正常に認識できた場合）に、このイベント信号を有効受信したという。なお、以下の説明にあっては、有効受信を単に受信して説明する。
【００４０】
住警器１０から送信する火災連動信号には、送信元の住警器を示す識別情報として例えば送信元符号が含まれている。また火災連動信号を有効受信した住警器は必要に応じ火災連動信号の中継送信を行う。
【００４１】
連動元となった住警器１０−１の警報動作としては、例えば「ウーウー  火災警報器が作動しました  確認してください」といった警報音とメッセージを含む所定パターンの警報音を出力する。一方、連動先の住警器１０−２〜１０−６にあっては、「ウーウー  別の火災警報器が作動しました  確認してください」といった火災警報音を出力する。
【００４２】
このような火災警報音の内、「ウーウー」の部分はスピーカを駆動する火災警報信号の信号振幅が一定で周波数が例えば２〜３ＫＨｚで変化するスイープ警報音であり、本実施形態における音圧測定試験にあっては、火災警報音の中のスイープ音「ウーウー」を試験音として連続して或いは繰り返して出力させる。
【００４３】
また連動元となった住警器１０−１の警報に伴う警報表示としては、例えばＬＥＤを点灯させる。一方、連動先の住警器１０−２〜１０−６にあっては、ＬＥＤを点滅させる。これによって、連動元警報と連動先警報におけるＬＥＤによる警報表示を区別できるようにしている。
【００４４】
なお、警報表示については他に適宜の手段及び方法を用いることができる。
【００４５】
住警器１０−１〜１０−６が警報音を出している状態で、警報停止スイッチを操作すると、警報音及び警報表示の停止処理が行われる。
【００４６】
更に住警器１０は、発信機１００又はリモコン装置３００から自己を宛先に指定した試験指示信号（連動信号）を受信すると、スピーカから火災警報音の中のスイープ音の部分を試験音として例えば所定時間に亘り連続或いは繰り返し出力させる音圧測定試験（試験鳴動）を実行する機能を有する。
【００４７】
発信機１００は操作部に非常押釦スイッチ（非常スイッチ）を設けており、火災などの非常時に居住者が非常押釦スイッチを操作すると、非常通報信号（連動信号）を送信する。発信機１００から送信された非常通報信号は住警器１０−１〜１０−６で受信され、受信した住警器で所定の警報動作が行われる。この警報動作としては「ウーウー  発信機が作動しました  確認してください」といった音声メッセージによる警報音を出力する。また警報音に伴う表示（警報表示）としては、例えばＬＥＤを点滅させる。
【００４８】
また、発信機１００には発信機灯が設けられており、非常押釦スイッチを操作すると発信機灯が点滅して非常通報が行われていること及び／又は行われたことを操作者に対して報知する。また発信機１００にはスピーカも設けられており、非常押釦スイッチの操作音や非常通報イベント信号の送信中および／又は送信完了音などを出力することによっても報知することができる。もちろん、非常通報が行われたことを示す送信完了音に加えて、又は代えて、非常通報を示す上記の如き音を出力しても良い。
【００４９】
更に発信機１００には音圧測定試験のための試験指示操作に基づき、特定の住警器又は全ての住警器を一括して宛先に指定した試験指示信号（連動信号）を送信する機能が設けられる。
【００５０】
照明装置２００−１〜２００−３は、信号を無線により相互に送受信する機能を備え、リモコン装置３００の操作により送信される点灯信号、他の照明装置から送信される点灯信号（連動信号）、または住警器１０からの火災連動信号を受信してこれに基づき照明を駆動すると共に、必要に応じ受信した点灯信号や火災連動信号を住警器や他の照明装置へ中継送信する。
【００５１】
また照明装置２００は、住警器１０からの火災連動信号を受信した場合、これに基づき照明を駆動する一方、音響出力等による警報動作を行う。具体的には、例えば「ウーウー  火災警報器が作動しました  確認してください」といった音声メッセージによる警報音を出力する。また、警報動作としては照明表示も行うことができる。この警報表示は例えば、火災時以外の警報（報知）動作と異なる動作としても良い。即ち、点灯信号の受信による照明動作は点灯とし、火災連動信号受信による照明動作は点滅としたり、その逆としたりすることができる。
【００５２】
また、点灯信号を受けて駆動する照明動作は、点灯、点滅、明滅の何れであっても良い。以下では、区別する場合を除いて、これらを総称して点灯という。
【００５３】
照明装置２００で点灯した照明は、住警器１０からの警報停止連動信号又は火災復旧連動信号の受信、リモコン装置３００や他の照明装置からの消灯信号（連動信号）、自己の停止スイッチの操作で消灯し、あわせて警報を停止する。
【００５４】
リモコン装置３００は点灯操作により点灯信号（制御信号）を照明装置２００に送信し、また消灯操作により消灯信号（制御信号）を照明装置２００に送信して遠隔的に照明装置２００を制御する。この他に調光信号（制御信号）等を送信して調光制御するようにしても良い。更にリモコン装置３００には音圧測定試験のための試験指示操作に基づき、特定の住警器又は全ての住警器を一括して宛先に指定した試験指示信号を送信する機能が設けられる。
【００５５】
ここで本願の第１発明は住警器１０と発信機１００で構成される（両者が連動する）警報システムであり、一方、本願の第２発明は住警器１０、照明装置２００及びリモコン装置３００で構成される（三者が連動する）警報システムであるが、図１の実施形態は、第１発明と第２発明を組み合わせたシステム構成を例にとっている。
【００５６】
図２は本発明の警報システムに設けた住警器の外観を示した説明図であり、図２（Ａ）に正面図を、図２（Ｂ）に側面図を示している。
【００５７】
図２において、本実施形態の住警器１０の筐体はカバー１２と本体１４で構成されている。カバー１２の中央には、周囲に複数の煙流入口を開口し、その内部には検煙部１６が配置され、火災による煙が所定濃度に達したときに火災を検知するようにしている。
【００５８】
カバー１２に設けた複数の開口部の内部には検煙部１６を備え、検煙部１６の左下側には複数の音響孔（スリット）１８が設けられ、この背後にスピーカを内蔵し、スイープ音とメッセージを組み合わせた所定パターンの火災警報音を出力できるようにしている。また音圧測定試験を実行した際には、スピーカから火災警報音の中のスイープ音の部分を試験音として所定時間に亘り連続或いは繰り返し出力するようにしている。
【００５９】
検煙部１６の下側には警報停止スイッチ２０が設けられている（取付フック１５が設けられているほうを上側とする）。警報停止スイッチ２０は住警器１０の機能の自己点検を指示する点検スイッチとしての機能を兼ねている。たとえば、火災警報中に警報停止スイッチ２０が操作されると警報を停止し、通常状態で警報停止スイッチ２０が操作されると機能点検を実施して結果を報知する。ここで通常状態とは、少なくとも火災警報中でない状態を指す。
【００６０】
警報停止スイッチ２０は、透光性部材で形成されたスイッチカバーと、スイッチカバーの内部に配置されたプッシュスイッチ（図示せず）とで構成されている。即ち、スイッチカバーを押圧操作すると、これに連携してプッシュスイッチが押されるようになっている。スイッチカバー内部のプッシュスイッチ近傍には、点線で示すように警報等表示を行うＬＥＤ２２が配置されており、ＬＥＤ２２が点灯、点滅、明滅作動すると、作動光が警報停止スイッチ２０のスイッチカバーの部分を透過してＬＥＤ２２の作動状態が外部から視認できるようにしている。
【００６１】
また本体１４の裏側上部には略中央部に挿通孔を有する取付フック１５が設けられており、設置する部屋の壁面にビスなどをねじ込み、この取付フック１５の挿通孔にビスを通して引っかけることで、壁面に住警器１０を所謂壁掛け状に固定設置することができる。
【００６２】
なお、火災に伴う熱気流や煙は空間の上方に向かうため、住警器は比較的高所に設置する。本実施形態のように壁面設置する場合も、壁面の高所に設置し、天井面等に設置する場合もある。天井面に設置する場合には別に取付アダプタを使用することもある。住警器はこのように高所に設置されるため、警報停止スイッチ２０を操作するため、例えばスイッチカバーに引き紐を設けて垂下させ、引き紐の操作に連携してスイッチカバー、プッシュスイッチが押圧されるようにしたものもある。
【００６３】
図３は本発明の警報システムに設けた無線式の発信機の外観を示した説明図であり、図３（Ａ）に正面図を、図３（Ｂ）に側面図を示している。なお、取付フック１１５が設けられているほうを上側とする。
【００６４】
図３において、本実施形態の発信機１００の筐体はカバー１１２と本体１１４で構成されている。カバー１１２の中央には、非常押釦スイッチ１１６が設けられる。非常押釦スイッチ１１６は、透光性部材で形成されたスイッチカバーと、スイッチカバーの内部に配置されたプッシュスイッチ（図示せず）とで構成されている。
【００６５】
スイッチカバー内部のプッシュスイッチ近傍には、点線で示すように発信機灯として機能するＬＥＤ１１８が配置されており、作動光が非常押釦スイッチ１１６のスイッチカバーを透過してＬＥＤ１１８の作動状態が外部から視認できるようにしている。非常押釦スイッチ１１６を押し込み操作するとこれに連携して内蔵のプッシュスイッチが押され、それに伴いＬＥＤ１１８が点滅又は明滅し、非常通報信号の送信完了が確認されると点灯に切り替わり、所定時間後に消灯する。
【００６６】
非常押釦スイッチ１１６の左下側にはスリット状の音響孔１２０が複数設けられ、この背後にブザーやスピーカを内蔵し、警報音や音声メッセージを出力できるようにしている。
【００６７】
また本体１１４の裏側上部には、略中央部に挿通孔を有する取付フック１１５が設けられており、設置する部屋の壁面等にビスなどをねじ込み、この取付フック１１５の挿通孔にビスを通して引っかけることで、壁面の手の届く位置に発信機１００を所謂壁掛け状に固定設置することができ、また必要に応じて取り外すことで持ち運び可能としている。なお、発信機１００の非常押釦スイッチ１１６に引き紐を設ければ壁面や天井の高所に設置することができる。
【００６８】
更に、発信機１００の本体１１４の裏面側には、音圧測定試験を行う操作部が設けられ、この操作部には、音圧測定試験を行う住警器を指定する宛先指定スイッチと試験指示信号を送信する試験指示スイッチが設けられている（図示省略）。
【００６９】
ここで宛先指定スイッチは、図１に示した住警器１０−１〜１０−６を個別に宛先指定する機能と、全ての住警器１０−１〜１０−６を一括して宛先指定する機能をもっている。宛先指定スイッチとして例えばロータリ式のセレクタスイッチを設けて個別の宛先又は全ての宛先を一括選択可能とする。本実施形態で指定する住警器の宛先としては住警器に予め設定されている送信元符号を使用する。
【００７０】
図４は本発明の警報システムに設けた無線連動型の照明装置の外観を示した説明図であり、図４（Ａ）に正面図を、図４（Ｂ）に側面図を示している。なお、取付フック２１５が設けられているほうを上側とする。
【００７１】
図４において、本実施形態の照明装置２００の筐体はカバー２１２と本体２１４で構成されている。カバー２１２の中央には、ＬＥＤ照明部２１６が設けられ、ドーム型の透光性カバーの内部に例えば５個の白色のＬＥＤ２１８を配置している。もちろん、ＬＥＤ２１８は白色以外の色であっても良いし、適宜の数であって良い。この点灯により、照明装置２００の設置場所近傍の所定エリアを照明することができる。
【００７２】
ＬＥＤ照明部２１６の左下側にはスリット状の音響孔２１９が複数設けられ、この背後にブザーやスピーカを内蔵し、警報音や音声メッセージを出力できるようにしている。ＬＥＤ照明部２１６の下側には警報停止スイッチを兼ねた照明停止スイッチ２２０が設けられている。
【００７３】
照明停止スイッチ２２０は、透光性部材で形成されたスイッチカバーと、スイッチカバーの内部に配置されたプッシュスイッチ（図示せず）とで構成されている。スイッチカバー内部のプッシュスイッチ近傍には、点線で示すように警報表示を行うＬＥＤ２２２が配置されており、ＬＥＤ２２２が点灯、点滅、明滅作動すると、作動光が照明停止スイッチ２２０のスイッチカバーの部分を透過してＬＥＤ２２２の作動状態が外部から視認できるようにしている。ＬＥＤ２２２は例えば赤色とする。
【００７４】
また本体２１４の裏側上部には略中央部に挿通孔を有する取付フック２１５が設けられており、設置する部屋の壁にビスなどをねじ込み、この取付フック２１５の挿通孔にビスを通して引っかけることで、壁面に照明装置２００を所謂壁掛け状に固定設置することができる。なお、照明装置２００の照明停止スイッチ２２０に引き紐を設ければ壁面や天井の高所に設置することができる。
【００７５】
図５は本願の第１発明に対応した、発信機からの試験指示による住警器の音圧測定試験の様子を示している。図５において、住警器１０−１〜１０−５（１０−６は図示を省略）の内、例えば住警器１０−１の音圧測定試験を行う場合には、住警器１０−１から１メートル離れた所定の位置に騒音計２６を設置する。
【００７６】
続いて発信機１００の裏面操作部に設けた宛先指定スイッチにより住警器１０−１の宛先を指定した状態で試験指示スイッチを操作すると、グループ符号、送信元符号と共に住警器１０−１を宛先に指定する宛先送信元符号及び試験指示を示す連動符号を含む試験指示信号が送信され、住警器１０−１で受信されると当該住警器１０−１で音圧測定試験（試験鳴動）が実行される。
【００７７】
音圧測定試験の実行は、例えば連動元を示す火災警報音「ウーウー  火災警報器が作動しました  確認してください」の中のスイープ音「ウーウー」を試験音２５として所定時間に亘り連続的に、或いは繰り返し出力する（以下の説明では、「連続」と「繰り返し」を区別せず「連続」という）。この試験音の出力中（間欠的な出力の休止期間を含む一連の出力動作中）に測定員は騒音計２６のピーク値を読取り、例えば騒音計２６のピーク値として例えば７０ｄＢ／ｍ以上の測定値が得られれば、正常と判断する。
【００７８】
また住警器１０−１〜１０−６が設置されていない場所に騒音計２６を設置して行う音圧測定試験の場合には、発信機１００の裏面操作部に設けた宛先指定スイッチにより全ての住警器１０−１〜１０−６の宛先を一括して指定した状態で試験スイッチを操作する。
【００７９】
この操作により発信機１００からは住警器１０−１〜１０−６の全てを宛先に一括指定する全宛先送信元符号を含む試験指示信号が送信され、住警器１０−１〜１０−６で受信されると、全ての住警器から試験音を出力する音圧測定試験（試験鳴動）が実行される。これより住警器１０−１〜１０−６を設置していない場所に設置している騒音計２６のピーク測定値を読取って充分に聞き取り可能な音圧、例えば６０ｄＢ／ｍ以上の測定値が得られれば適正と判断する。
【００８０】
図６は住警器１０−１における音圧測定試験の実行中に、他の住警器１０−３で火災が検知された場合の動作を示している（住警器１０−６は図示を省略）。住警器１０−１の音圧測定試験実行中に住警器１０−３で火災が検知されると、住警器１０−３は連動元を示す火災警報音２７を出力すると共に、火災連動信号を他の住警器１０−１，１０−２，１０−４，１０−５，１０−６へ送信する。
【００８１】
この火災連動信号を受信した試験実行中の住警器１０−１は音圧測定試験を中断して試験音の出力を停止（試験鳴動停止）し、続いて連動元を示す火災警報音が出力される。勿論、他の住警器１０−２，１０−４，１０−５，１０−６では連動先を示す火災警報音が出力される。
【００８２】
連動先を示す火災警報音は例えば「ウーウー  別の火災警報器が作動しました  確認してください」となるが、音圧測定試験を中断した住警器１０−１については、試験実行中に火災が発生したことを示すメッセージを含む火災警報音として例えば「ウーウー  試験中に別の火災警報器が作動しました  確認してください」を出力させる。
【００８３】
このように音圧測定試験を中断した住警器１０−１からの火災警報音のメッセージ中に試験実行中に火災が発生したことを示すメッセージを含ませることで、試験中断後の火災警報音を音圧測定用の試験音と誤認することを防止し、点検員は別の場所での火災発生を速やかに認識して迅速な初期消火や避難が可能となる。
【００８４】
図７は図１の警報システムに設けた音圧測定試験（試験鳴動）を行う住警器の実施形態を示したブロック図である。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００８５】
図７において、住警器１０はワンチップＣＰＵとして知られたプロセッサ２８を備え、プロセッサ２８に対してはアンテナ３１を備えた無線通信部３０、メモリ３２、センサ部３４、報知部３６、操作部３８及び電池電源４０を設けている。
【００８６】
無線通信部３０には送信回路４２と受信回路４４が設けられ、他の住警器との間で信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００８７】
メモリ３２には、イベント信号の順番を示す連続番号である連番４８、各住警器を特定する住警器識別情報となる送信元符号５０、図１のように住宅２４に設置した住警器１０−１〜１０−６で連動警報を行う連動グループを構成するためのグループ符号５２が格納されている。
【００８８】
センサ部３４には、煙を検出して信号を出力する検煙部１６を設けている。なお、センサ部３４には検煙部１６に代えて、火災による温度を検出するサーミスタ等の温度検出素子や、火災に伴うその他の物理現象変化を検出する各種素子を設けても良い。
【００８９】
報知部３６には警報音等を出力する音声増幅器５５とスピーカ５６が設けられ、また警報表示等を行うＬＥＤ２２が図示しない駆動回路と共に設けられている。スピーカ５６は、図示しない音声合成回路部および音声増幅部を介して駆動され、がメモリ３２に保持している各種の音声データに基づきメッセージや警報音等を出力する。ＬＥＤ２２は点滅や明滅、点灯などにより、火災などの異常その他を表示する。スピーカ５６に代えて、ブザー等を用いても良い。またＬＥＤ２２に代え、２色ＬＥＤや液晶表示器等を設けても良い。もちろん、ＬＥＤと液晶表示器を併設するなどしても良い。
【００９０】
操作部３８には警報停止スイッチ２０が設けられている。警報停止スイッチ２０は、報知部３６からスピーカ５６により火災や障害の警報音を出力しているとき又はＬＥＤ２２により警報表示を行っているときに警報停止スイッチとして機能する。
【００９１】
また警報停止スイッチ２０は、連動元または連動先を示す警報を行っていない通常監視状態において警報停止スイッチ２０は点検スイッチとして機能し、この状態で警報停止スイッチ２０を操作すると、所定の自己点検動作が実行されて報知部３６から点検結果を示す音声メッセージなどが出力される。
【００９２】
住警器１０の必要各部に電源を供給する電池電源４０は、例えば所定セル数のリチウム電池やアルカリ乾電池を使用しており、電池容量としては住警器１０における無線通信部３０を含む回路部全体の低消費電力化により、例えば１０年の電池寿命を保証している。
【００９３】
プロセッサ２８にはプログラムの実行により実現される機能として、警報処理部６０、試験実行部６２及び試験中断部６４の機能が設けられている。
【００９４】
警報処理部６０は、センサ部３４に設けた検煙部１６の検出信号出力に基づいて火災を検知した場合に、報知部３６のスピーカ５６から連動元を示す警報音を出力させると共に、ＬＥＤ２２を例えば点灯駆動して連動元を示す警報表示を行い、更に、無線通信部３０（送信回路４２及びアンテナ３１）を介して火災連動信号を他の住警器に送信する。
【００９５】
具体的に説明すると、警報処理部６０は、センサ部３４に設けた検煙部１６の煙検出信号に基づき火災を検知した場合に、報知部３６のスピーカ５６から連動元を示す警報音例えば「ウーウー  火事です  火事です」の音声警報音を繰り返し出力させると共に、ＬＥＤ２２を点灯させて連動元を示す警報表示制御を行い、更に、火災連動信号を無線通信部３０の送信回路４２によりアンテナ３１から他の住警器に向けて送信させる。
【００９６】
また警報処理部６０は、無線通信部３０（アンテナ３１及び受信回路４４）を介して他の住警器の何れかから火災連動信号を受信した場合に、報知部３６のスピーカ５６から連動先を示す火災警報音として例えば「ウーウー  別の火災警報器が作動しました  確認してください」を繰り返し出力させると共にＬＥＤ２２を点滅して連動先を示す警報表示を行う。
【００９７】
また警報処理部６０は、無線通信部３０（アンテナ３１及び受信回路４４）を介して発信機１００の何れかから非常通報信号（連動信号）を受信した場合に、報知部３６のスピーカ５６から非常通報を示す警報音として例えば「ウーウー  発信機が作動しました  確認してください」を繰り返し出力させると共にＬＥＤ２２を点滅して警報表示を行う。
【００９８】
また警報処理部６０は連動元を示す火災警報音または連動先を示す火災警報音の出力中に警報停止スイッチ２０の操作を検知した場合、又は他の住警器からの警報停止を示すイベント信号有効受信有り又は装置イベント信号有効受信有りを検知した場合、スピーカ５６からの音声警報音出力とＬＥＤ２２の警報表示による火災警報の出力を停止させる。
【００９９】
また警報処理部６０は、各種の故障や障害を検知し、検知した事象に対応する制御を行うが、詳細な説明は省略する。
【０１００】
次に試験実行部６２と試験中断部６４の機能を説明する。試験実行部６２は、発信機１００又は照明装置２００、或いは照明装置２００のリモコン装置３００から送信された自己又は自己を含む複数の住警器を宛先に指定した試験指示信号を受信した場合、連動元を示す火災警報音の中の、音圧測定に適したスイープ音「ウーウー」の箇所を試験音とし、報知部３６のスピーカ５６から音圧測定試験に必要な所定時間、例えば１分間に亘り、連続して出力させる音圧測定試験（試験鳴動）を実行する。
【０１０１】
この音圧測定試験の実行に先立ち測定員は図５に示したように、音圧測定試験を行う例えば住警器１０−１の１メートル前方の所定位置に騒音計２６を予め設置して準備しており、音圧測定試験の実行でスピーカ５６から出力された試験音のピーク値を測定し、規定レベルを満たせば正常（つまり適正）と判断することになる。
【０１０２】
試験中断部６４は、試験実行部６２による音圧測定試験の実行中、即ち所定時間に亘るにスイープ音「ウーウー」を試験音として連続出力中に、他の住警器からの火災連動信号を受信した場合、音圧測定試験を中断して試験音出力を停止し、これに続いて警報処理部６０は連動先を示す火災警報音をスピーカ５６から出力させる。
【０１０３】
ここで、音圧測定試験中の火災検知は、試験中の住警器１０自身が火災を検知する場合と、他の住警器が火災を検知して送信した火災連動信号を受信する場合があるが、音圧測定試験の実行中はその場所に点検員が居て試験している住警器付近で火災が発生した場合にはその点検員自身が火災発生に気づくことができる。しかし別の場所で火災が発生した場合に、点検員がいる場所の住警器が連動警報出来ないと対処が遅れてしまうことにもなりかねない。このため別の場所での火災発生の報知がより重要であり、試験中断部６４は、少なくとも、他の住警器から火災連動信号を受信した場合に、音圧測定試験を中断し、これに続いて警報処理部６０は連連動先を示す火災警報音をスピーカ５６から出力させる。
【０１０４】
ここで、音圧測定試験の実行中に火災連動信号を受信した場合、スイープ音を用いた試験音「ウーウー」の連続出力を中断した後に試験中に異常が発生したことを示すメッセージを含む所定パターンの火災警報音として例えば「ウーウー  試験中に別の警報器が試験中に作動しました  確認してください」を出力させ、試験中に火災が発生したことを明確に知らせるようにする。
【０１０５】
図８は図７の住警器の連動警報に使用する連動信号フォーマットを概略的に示した説明図である。図８において、連動信号４６は連番４８、送信元符号５０、グループ符号５２及び連動符号５４で構成されている。
【０１０６】
連番４８は連動信号の順番を示す連続番号であり、住警器１０、発信機１００、照明装置２００、リモコン装置３００のそれぞれにおいて連動信号を送信する毎にインクリメントする。連番４８は住警器１０、発信機１００、照明装置２００、リモコン装置３００の各々で非同期に生成している。連番４８は住警器１０、発信機１００、照明装置２００の間の無線通信に於いて信号の中継処理等を管理するためのものであるが、本発明に直接関係しないので詳細な説明を省略する。
【０１０７】
送信元符号５０は住警器識別情報として用いられる例えば２６ビットの多ビット符号であり、例えば住警器１０、発信機１００、照明装置２００、リモコン装置３００のシリアル番号等を利用している。グループ符号５２は例えば８ビットの符号であり、同一グループを構成する例えば図１の住警器１０−１〜１０−６、発信機１００、照明装置２００−１〜２００−３及びリモコン装置３００につき例えば同じグループ符号が設定されている。グループ符号を用いることによって、隣接する他グループ内の連動信号を混同処理することを防止している。
【０１０８】
連動符号５４は、火災、ガス漏れなどの事象検知に伴う連動内容を表す符号であり、図８の実施形態にあっては４ビット符号を使用しており、例えば
０００１＝火災
００１０＝ガス漏れ
００１１＝警報停止（火災警報停止、ガス漏れ警報停止、障害警報停止）
０１００＝復旧（火災復旧、ガス漏れ復旧、障害復旧）
０１０１＝センサ障害
０１１０＝ローバッテリー障害
としている。ここで、００００は事象検知を伴わない例えば定期通報（定期的な通信確認）に使用する。
【０１０９】
図９は図１の警報システムに設けた発信機の実施形態を示したブロック図である。これは一例であり、各機能の分離、統合は任意に行うことができる、また各機能のそれぞれ一部又は全部は、ソフトウェア（プログラム）によって実行されるものであってもハードウェアによって実行されるものであっても良い。ＬＥＤ１１８の駆動回路、スピーカ１５６の駆動に係る音声合成回路、音声増幅部等は省略している。
【０１１０】
図９の発信機１００はワンチップＣＰＵとして知られたプロセッサ１２８を備え、プロセッサ１２８に対してはアンテナ１３１を備えた無線通信部１３０、メモリ１３２、報知部１３６、操作部１３８及び電池電源１４０を設けている。無線通信部１３０には送信回路１４２と受信回路１４４が設けられ、他の発信機及び住警器との間で各種信号を無線により送受信できるようにしている。電池電源１４０は必要各部に電源を供給する。
【０１１１】
無線通信部１３０、メモリ１３２、報知部１３６及び電池電源１４０の詳細は図７に示した住警器１０の無線通信部３０、メモリ３２、報知部３６及び電池電源４０と基本的に同様になる。
【０１１２】
操作部１３８には非常押釦スイッチ１１６、試験指示スイッチ１７０及び宛先指定操作部１７２が設けられている。非常押釦スイッチ１１６は非常通報スイッチとして機能する。
【０１１３】
試験指示スイッチ１７０は例えば本体１１４の裏面に配置されたディップスイッチであり、試験指示スイッチ１７０を操作すると試験指示信号が住警器１０に送信され、住警器１０から音圧測定のための試験音を出力させる。
【０１１４】
宛先指定操作部１７２は試験指示スイッチ１７０と同様に本体１１４の裏面に配置されており、音圧測定試験を行う１又は複数の住警器の宛先指定或いは全ての住警器の一括宛先指定の操作を行う。この宛先指定操作部１７２の指定操作に基づき、試験スイッチ１７０の操作により送信する試験指示信号には特定（１又は複数）の住警器の宛先を指定した宛先送信元符号または全ての住警器の一括宛先指定を意味する全宛先送信元符号が含まれる。つまり、住警器１０のメモリ３２に記録されている送信元符号は、それぞれの住警器のＩＤ（アドレス）を意味する。この点は発信機１００、照明装置２００についても同様となる。
【０１１５】
プロセッサ１２８にはプログラムの実行により実現される機能として発信制御部１６０及び試験指示部１６２の機能が設けられている。
【０１１６】
発信制御部１６０は、操作部１３８の非常押釦スイッチ１１６が操作されたことによる非常通報指示の入力を検知した場合に非常通報信号を生成し、送信回路１４２を介してアンテナ１３１から住警器１０、他の発信機及び照明装置２００へ送信させる。
【０１１７】
また、発信制御部１６０は、非常押釦スイッチ１１６の操作による非常通報指示の入力を検知した場合に、発信機灯として機能するＬＥＤ１１８を点滅又は明滅駆動し、スイッチ操作が受け付けられて非常通報信号が送信されていること、また送信されたことを報知する。このとき報知部１３６のスピーカ１５６から例えば「ピッ」等のスイッチ操作受付音を出力させても良い。
【０１１８】
また、発信制御部１６０は、このようにＬＥＤ１１８を点滅又は明滅駆動した状態で、他の発信機から送信され警報器１０で中継送信された非常通報信号を受信した場合、非常通報信号が警報器１０で有効受信されて警報が出力されたことを示す確認応答信号（ＡＣＫ）の受信とみなし、ＬＥＤ１１８の点滅又は明滅を停止して所定時間の点灯に切り替え、通報完了を報知する。
【０１１９】
警報器からの信号であることは、非常通報信号に含まれる送信元符号等から判別することができる。また、これが中継された信号であることも、非常通報信号中に特定の符号を設けることで、或いは連番等から直接又は間接的に判別可能とすることができる。
【０１２０】
また発信制御部１６０は、アンテナ１３１及び受信回路１４４を介して住警器１０の何れかから火災連動信号を受信した場合に、報知部１３６のスピーカ１５６から火災警報音として例えば「ウーウー  火災警報器が作動しました  確認してください」を繰り返し出力させると共にＬＥＤ１１８を点滅して警報表示を行う。
【０１２１】
また、発信制御部１６０は、各種障害を検出した場合に所定の障害警報を出力する。障害警報処理の詳細は図７の住警器と基本的に同じになる。
【０１２２】
試験指示部１６２は、操作部１３８に設けた試験指示スイッチ１７０及び宛先指定操作部１７２による指示入力を検知した場合、特定（１又は複数）の住警器又は全ての住警器を一括して宛先に指定した試験指示信号を送信する。
【０１２３】
図１０は図９の発信機から送信する信号のフォーマットを概略的に示した説明図であり、図１０（Ａ）に非常通報信号を、図１０（Ｂ）に特定（１又は複数）の住警器を宛先指定する試験指示信号を、図１０（Ｃ）に全ての住警器を一括宛先指定する試験指示信号を示している。
【０１２４】
図１０（Ａ）の非常通報信号１４６は連番１４８、送信元符号１５０、グループ符号１５２及び非常通報符号１５４で構成され、非常通報符号１５４の内容が
０１１１＝非常通報
となっているが、それ以外は図８の連動信号フォーマットと同様となる。
【０１２５】
図１０（Ｂ）は特定住警器を宛先指定する試験指示信号１９０であり、連番１４８、送信元符号１５０及びグループ符号１５２は図１０（Ａ）の非常通報信号１４６と同様であるが、試験指示符号１９２が
１０００＝音圧測定試験
となっており、更に、宛先送信元符号１７４を付加してしいる。宛先送信元符号１７４は発信機１００に設けた宛先指定操作部１７２の宛先指定操作により特定の住警器の送信元符号がセットされる。宛先が複数の場合には、宛先送信元符号１７４も複数付加される。
【０１２６】
図１０（Ｃ）は全ての住警器の一括宛先指定を意味する試験指示信号１８０であり、連番１４８、送信元符号１５０及びグループ符号１５２は図１０（Ａ）の非常通報信号１４６と同様であるが、試験指示符号１９２が
１０００＝音圧測定試験
となっており、更に、全（一括）宛先送信元符号１８２を付加している。全宛先送信元符号１８２は発信機１００に設けた宛先指定操作部１７２の全住警器の宛先指定操作により全（一括）宛先指定を意味する所定の共通宛先符号（ブロードキャスト符号）がセットされる。
【０１２７】
図１１は図１の警報システムに設けた照明装置の実施形態を示したブロック図である。これは一例であり、各機能の分離、統合は任意に行うことができる、また機能の実行は、ソフトウェア（プログラム）によって実行されるものであってもハードウェアによって実行されるものであっても良い。
【０１２８】
図１１において、照明装置２００はワンチップＣＰＵとして知られたプロセッサ２２８を備え、プロセッサ２２８に対してはＬＥＤ照明部２１６、アンテナ２３１を備えた無線通信部２３０、メモリ２３２、報知部２３６、操作部２３８及び電池電源２４０を設けている。ＬＥＤ照明部２１６（ＬＥＤ２１８）、報知部２３６のＬＥＤ２２２の各駆動回路、スピーカ２５６の駆動に係る音声合成回路、音声増幅部等は省略している。
【０１２９】
無線通信部２３０、メモリ２３２、報知部２３６及び電池電源２４０の詳細は図７の住警器に設けた無線通信部３０、メモリ３２、報知部３６及び電池電源４０と基本的に同様となる。
【０１３０】
ＬＥＤ照明部２１６には図４に示したように例えば５個のＬＥＤ２１８が設けられる。
【０１３１】
操作部２３８には照明停止スイッチ２２０が設けられている。照明停止スイッチ２２０は、ＬＥＤ照明部２１６を点灯しているとき（間欠的な駆動の場合は休止時間を含む一連の駆動中。以下同じ。）にのみ照明停止スイッチとして機能し、照明点灯中に照明停止スイッチ２２０を操作すると照明（ＬＥＤ２１８）が消灯し、照明点灯と共に報知部２３６から警報を出力している場合には、照明を消灯すると共に報知部２３６からの警報出力も停止する。
【０１３２】
一方、照明点灯を行っていない通常状態においては、照明停止スイッチ２２０は点検スイッチとして機能し、この状態で照明停止スイッチ２２０を操作すると、所定の自己点検動作が実行されて例えば報知部２３６のスピーカ２５６から点検結果を示す音声メッセージなどが出力される。
【０１３３】
プロセッサ２２８にはプログラムの実行により実現される機能として照明制御部２６０の機能が設けられている。
【０１３４】
照明制御部２６０は、リモコン装置３００や他の照明装置（２００）の何れかからの点灯信号の受信又は住警器からの火災連動信号又は他の照明装置からの点灯信号を受信した場合にＬＥＤ照明部２１６に設けている白色のＬＥＤ２１８を点灯する。先述の通りＬＥＤ照明部２１６の点灯は、ＬＥＤ２１８を点滅または明滅させても良く、本説明ではこれを総称して「点灯」としている。
【０１３５】
照明制御部２６０は、無線通信部２３０を介して火災連動信号を受信した場合に、報知部２３６のスピーカ２５６から火災を示す警報音例えば「ウーウー  火事です  火事です」を繰り返し出力させる。即ち、連動先として警報を出力する。
【０１３６】
照明制御部２６０は、無線通信部２３０を介してリモコン装置３００や他の照明装置からの点灯信号を受信した場合に、ＬＥＤ照明部２１６を点灯する。また照明制御部２６０は、ＬＥＤ照明部２１６の点灯中に住警器又は他の照明装置から火災復旧連動信号又は警報停止連動信号を受信した場合、リモコン装置３００からの消灯信号を受信した場合、或いは自己の照明停止スイッチ２２０の操作を検知すると、ＬＥＤ照明部２１６のＬＥＤ２１８を消灯する。
【０１３７】
また照明制御部２６０は、各種障害を検知して対応する障害警報を出力制御する。障害処理の詳細は図７の住警器と同様となる。
【０１３８】
なお、火災連動信号の受信に基づく火災警報動作は、照明装置２００を住警器１０と同じ場所に設置する場合には不要であることから、操作部２３８に設けたディップスイッチ（図示省略）により、立上げ時に火災警報動作の禁止モードを設定し、同じ場所に設置された住警器１０と照明装置２００で火災警報の音声出力が重複しないようにする。
【０１３９】
図１２は図１の警報システムに設けたリモコン装置の実施形態を示したブロック図である。これは一例であり、各機能の分離、統合は任意に行うことができる、また機能の実行は、ソフトウェア（プログラム）によって実行されるものであってもハードウェアによって実行されるものであっても良い。
図１２において、リモコン装置３００はワンチップＣＰＵとして知られたプロセッサ３２８を備え、プロセッサ３２８に対してはアンテナ３３１を備えた無線通信部３３０、表示部３３２、操作部３３４及び電池電源３４０を設けている。
【０１４０】
無線通信部３３０には送信回路３４２が設けられ、照明装置２００に対し信号を無線送信できるようにしている。無線通信部３３０の送信回路３４２は図７の住警器１０に設けた送信回路４２と同様である。表示部３３２にはＬＥＤや液晶表示装置、またそれらの駆動回路などが設けられる。電池電源３４０は必要各部に電源を供給する。
【０１４１】
操作部３３４には点灯スイッチ３３５と消灯スイッチ３３６が設けられ、更に住警器１０に対し音圧測定試験を指示するため試験指示スイッチ３３８と宛先指定操作部３３９が設けられる。
【０１４２】
プロセッサ３２８にはリモコン制御部３６０及び試験指示部３６２の機能が設けられる。リモコン制御部３６０は点灯スイッチ３３５の点灯操作を検知した場合、点灯信号（制御信号）を送信し、消灯スイッチ３３６の消灯操作を検出した場合は消灯信号（制御信号）を送信する。
【０１４３】
試験指示部３６２は、操作部３３４に設けた試験指示スイッチ３３８及び宛先指定操作部３３９による指示入力を検出した場合、特定の１又は複数の住警器、又は全ての住警器を一括して宛先に指定した試験指示信号を送信する。
【０１４４】
図１３は図１２のリモコン装置から送信する信号のフォーマットを概略的に示した説明図であり、図１３（Ａ）に照明制御信号（点灯信号或いは消灯信号）を、図１３（Ｂ）に特定住警器を宛先指定する試験指示信号を、図１３（Ｃ）に全ての住警器を一括宛先指定する試験指示信号を示している。
【０１４５】
図１３（Ａ）の照明制御信号３４６は連番３４８、送信元符号３５０、グループ符号３５２及び制御符号３５４で構成され、制御符号３５４の内容が
１００１＝照明点灯
１０１０＝照明消灯
となっているが、それ以外は図８の連動信号フォーマットと同様になる。
【０１４６】
図１３（Ｂ）は特定住警器を宛先指定する試験指示信号３７０であり、連番３４８、送信元符号３５０及びグループ符号３５２は図１３（Ａ）の照明制御信号３４６と同じであるが、試験指示符号３７２が
１０００＝音圧測定試験
となっており、更に、宛先送信元符号３７４を付加しており、宛先送信元符号３７４としてリモコン装置３００に設けた宛先指定操作部３３９の宛先指定操作により特定の住警器の送信元符号がセットされる。宛先が複数ある場合には宛先送信元符号３７４も複数付すことになる。
【０１４７】
図１３（Ｃ）は全ての住警器を一括宛先指定する試験指示信号３８０であり、連番３４８、送信元符号３５０及びグループ符号３５２は図１３（Ａ）の照明制御信号３４６と同様であるが、試験指示符号３７２が
１０００＝音圧測定試験
となっており、更に、全（一括）宛先送信元符号３８２を付加しており、全宛先送信元符号３８２としてリモコン装置３００に設けた宛先指定操作部３３９の全住警器の宛先指定操作により全宛先指定を意味する所定の共通宛先符号（ブロードキャスト符号）がセットされる。
【０１４８】
図１４及び図１５は図７の住警器１０における監視処理の例を示したフローチャートである。図１４において、住警器１０の電池電源４０による電源供給が開始されると、ステップＳ１で初期化、自己診断、禁止モードの設定の有無を含む各種設定の読み込みを実行し、異常がなければステップＳ２に進み、火災を監視している。
【０１４９】
ステップＳ１で初期化異常があった場合には、再度ステップＳ１の処理を実行し、所定回数連続して初期化異常となった場合には以上を報知して処理を停止するが、図示を省略している。この点は後述する図１７のステップＳ３１、図１８のステップＳ５１、図１９のステップＳ７１についても同様である。
【０１５０】
センサ部３４に設けた検煙部１６から出力された煙検出信号が所定の火災レベルを超えると火災が検知され、ステップＳ２で火災検知を判別してステップＳ３に進み、火災連動信号を他の住警器に無線送信し、ステップＳ４で報知部３６のスピーカ５６から音声メッセージやブザー音等による警報音とＬＥＤ２２の例えば点灯による警報表示とにより連動元を示す火災警報を出力する。
【０１５１】
続いて、ステップＳ５でセンサ部３４からの煙検出信号が低下して火災検知状態が解消する火災復旧検知の有無を判別しており、火災復旧検知を判別するとステップＳ６で火災復旧連動信号を他の住警器に送信し、ステップＳ７でスピーカ５６からの警報音とＬＥＤ２２の点灯警報表示とによる連動元を示す火災警報出力を停止する。なお、ＬＥＤ２２による警報表示は所定時間経過後に消灯しても良い。
【０１５２】
続いてステップＳ８で警報停止スイッチ２０の警報停止指示操作検知の有無を判別し、警報停止操作検知が判別されると、ステップＳ９に進んで警報停止連動信号を他の住警器に送信し、ステップＳ１０に進んでスピーカ５６からの連動元を示す警報音出力を停止し、ＬＥＤ２２の点灯による警報表示を消灯する。なお、ＬＥＤ２２は所定時間経過後に消灯しても良い。
【０１５３】
続いて図１５のステップＳ１１に進み、他の住警器から送信または中継送信された火災連動信号受信検知の有無を判別している。他の住警器からの火災家連動信号の受信検知を判別すると、ステップＳ１２に進んで連動先を示す火災警報としてピーカ５６から警報音を出力し、ＬＥＤ２２の点滅による警報表示を行う。
【０１５４】
次にステップＳ１３で他の住警器から送信または中継送信された火災復旧連動信号受信検知の有無を判別しており、火災復旧連動信号の受信検知を判別すると、ステップＳ１４に進んで連動先の警報として行っているスピーカ５６からの警報音出力とＬＥＤ２２の点滅による警報表示を停止する。
【０１５５】
次にステップＳ１５で他の住警器から送信または中継送信された警報停止連動信号受信検知の有無を判別しており、警報停止連動信号の受信検知を判別すると、ステップＳ１６に進んで警報中の有無を判別し、警報中を判別するとステップＳ１７に進んで連動先としての警報音出力を停止し、警報表示も停止させる。続いてステップＳ１８で音圧測定試験処理を実行する。
【０１５６】
図１６は図１５のステップＳ１８における音圧測定試験処理の詳細を示したフローチャートである。図１６において、ステップＳ２１にあっては、発信機１００又はリモコン装置３００から送信された試験指示信号（連動信号）の受信検知の有無を判別している。ステップＳ２１で試験指示信号の受信検知が判別されると、ステップＳ２２に進んで連動元を示す所定パターンの火災警報音の中のスイープ音「ウーウー」の部分の警報音信号を音声合成回路で生成して連続出力し、試験音として連続出力させる。
【０１５７】
続いてステップＳ２３で所定時間経過したか否か判別しており、所定時間経過を判別するまではステップＳ２４で火災発生の有無を判別しており、火災検知を判別することなく所定時間経過を判別すると、ステップＳ２５に進んでスピーカ５６から出力しているスイープ警報音による試験音を停止して音圧測定試験を終了させる。
【０１５８】
一方、ステップ２４で所定時間に亘る試験音の連続出力中、即ち試験中に他の住警器からの火災連動信号の受信検知を判別すると、ステップＳ２５に進んで音圧測定試験を中断してスピーカ５６からの試験音の出力を停止し、続いてステップＳ２６で連動先を示す火災警報音の出力と警報表示を行う。
【０１５９】
図示を省略しているが、ステップＳ２４では同様に自己の検煙部１６からの検出信号に基づく火災検知についても判別しており、ここで火災検知が判別されるとステップＳ２６では連動元として連動信号の送信と警報動作を行う。ここでの警報動作として出力される警報音は、試験中に火災検知された旨を示すメッセ−内容となる。
【０１６０】
火災警報音の出力中はステップＳ２７で警報停止の有無を判別しており、警報停止有りを判別するとステップＳ２８に進んで火災警報音と警報表示の停止処理を行う。その後図７のステップＳ２へ戻ることになる。なお、ステップＳ２７における警報停止検知の判別は、警報停止スイッチ２０の操作指示入力の検知、他の住警器からの火災復旧連動信号の受信検知、又は他の住警器から警報停止連動信号の受信のいずれかを判別した場合であり、その詳細は、図１４のステップＳ５〜Ｓ１１、及び図１５のステップＳ１３〜Ｓ１７に示した内容と同様になる。
【０１６１】
またステップＳ２３では所定時間経過を判別して音圧測定試験を終了しているが、発信機１００又はリモコン装置３００から試験終了信号を送信して終了しても良い。
【０１６２】
図１７は図９の発信機１００における発信機処理の例を示したフローチャートである。図１７において、発信機１００の電池電源１４０による電源供給が開始されると、ステップＳ３１で初期化、自己診断を実行し、異常がなければステップＳ３２に進み、非常押釦スイッチ１１６による非常通報操作検知の有無を判別している。
【０１６３】
ステップＳ３２で非常通報操作検知を判別するとステップＳ３３に進み、非常通報信号を送信し、ステップＳ３４でＬＥＤ１１８を点滅して非常通報信号の送信が行われたことを報知する。
【０１６４】
続いてステップＳ３５において、ステップＳ３３で送信した非常通報信号が住警器１０で有効受信されて中継送信されることから、住警器１０からの非常通報信号の受信検知の有無を判別しており、受信検知を判別するとステップＳ３６に進み、ＬＥＤ１１８の点滅を停止して所定時間の点灯に切替えて通報完了を表示し、更にステップＳ３７で非常通報完了を示す報知音をスピーカ１５６から出力する。点灯に切り替わったＬＥＤ１１８は所定時間後に消灯する。
【０１６５】
続いてステップＳ３８で非常押釦スイッチ１１６の長押操作などによる非常通報停止操作検知の有無を判別しており、非常通報停止操作検知を判別するとステップＳ３９に進み、警報停止信号を送信し、住警器１０で出力している非常通報に基づく異常発生警報の出力を停止させる。
【０１６６】
続いてステップＳ４４で試験指示スイッチ１７０及び宛先指定操作部１７２の試験指示操作検知の有無を判別しており、試験指示操作検知を判別するとステップＳ４５に進んで試験指示信号を送信して住警器１０に音圧測定試験のための試験音を出力させる。このとき送信する試験指示信号には、宛先指定操作部１７２の操作に基づく特定住警器の宛先となる宛先送信元符号または全ての住警器の一括宛先指定を意味する全宛先送信元符号が含まれる。
【０１６７】
図１８は図１１の照明装置２００における照明制御の例を示したフローチャートである。図１８において、照明装置２００の電池電源２４０による電源供給が開始されると、ステップＳ５１で初期化、自己診断を実行し、異常がなければステップＳ５２に進み、住警器１０から送信または中継送信された火災連動信号受信検知の有無を判別している。
【０１６８】
ステップＳ５２で火災連動信号受信検知を判別するとステップＳ５３に進み、ＬＥＤ照明部２１６のＬＥＤ２１８を点灯すると共に、報知部２３６のスピーカ２５６から音声メッセージやブザー音等の警報音とＬＥＤ２２２の点滅による警報表示とにより火災警報を出力する。
【０１６９】
続いて、ステップＳ５４で火災状態が解消した場合に住警器１０から送信または中継送信される火災復旧連動信号受信検知の有無を判別しており、火災復旧連動信号の受信検知を判別するとステップＳ５５でＬＥＤ照明部２１６のＬＥＤ２１８を消灯すると共に、報知部２３６のスピーカ２５６からの音声メッセージやブザー音等の警報音とＬＥＤ２２２の点滅による警報表示を停止する。
【０１７０】
続いてステップＳ５６で、火災を検出している連動元の住警器１０の警報停止スイッチ２０の操作に基づいて送信されるか、または中継送信された警報停止連動信号の受信検知の有無を判別しており、警報停止連動信号の受信検知を判別すると、ステップＳ５７でＬＥＤ照明部２１６のＬＥＤ２１８を消灯すると共に、報知部２３６のスピーカ２５６からの警報音とＬＥＤ２２２の警報表示を停止する。
【０１７１】
続いてステップＳ５８で他の照明装置２００から送信または中継送信された点灯信号受信検知の有無を判別し、点灯信号受信検知を判別するとステップＳ５９でＬＥＤ照明部２１６のＬＥＤ２１８を点灯する。
【０１７２】
続いてステップＳ６０で他の照明装置から送信または中継送信された消灯信号受信検知の有無を判別し、消灯信号受信検知を判別するとステップＳ６１でＬＥＤ照明部２１６のＬＥＤ２１８を消灯する。
【０１７３】
続いてステップＳ６２でリモコン装置３００から送信された点灯信号受信検知の有無を判別し、点灯信号受信検知を判別するとステップＳ６３でＬＥＤ照明部２１６のＬＥＤ２１８を点灯する。続いてステップＳ６４で点灯信号を中継送信する。
【０１７４】
続いてステップＳ６５でリモコン装置３００から送信された消灯信号受信検知の有無を判別し、消灯信号受信検知を判別するとステップＳ６６でＬＥＤ照明部２１６のＬＥＤ２１８を消灯する。続いてステップＳ６７で点灯信号を中継送信する。
【０１７５】
図１９は図１２のリモコン装置３００におけるリモコン制御の例を示したフローチャートである。図１９において、リモコン装置３００の電池電源３４０による電源供給が開始されると、ステップＳ７１で初期化、自己診断を実行し、異常がなければステップＳ７２に進み、点灯スイッチ３３５による点灯操作の検知有無を判別している。
【０１７６】
ステップＳ７２で点灯操作検知を判別するとステップＳ７３に進み、点灯信号（制御信号）を送信して照明装置２００の照明駆動を行わせる。
【０１７７】
続いてステップＳ７４に進み、消灯スイッチ３３６による消灯操作の検知有無を判別しおり、消灯操作検知を判別するとステップＳ７５に進み、消灯信号（制御信号）を送信して照明装置２００の照明駆動を停止させる。
【０１７８】
続いてステップＳ７６で試験指示スイッチ３３８及び宛先指定操作部３３９による試験指示操作の検知有無を判別しており、試験指示操作の検知有りを判別するとステップＳ７７に進んで試験指示信号（制御信号）を送信して、照明装置２００から試験指示信号（連動信号）を送信させ、これを受信した対象住警器１０に音圧測定試験のための試験音を出力させる。このとき送信する試験指示信号には、宛先指定操作部３３９の操作に基づく特定住警器の宛先指定となる宛先送信元符号または全ての住警器の一括宛先指定を意味する全宛先送信元符号が含まれる。
【０１７９】
図２０は本願の第３発明に対応した照明装置の他の実施形態を示したブロック図であり、照明装置２００を発信機１００と同様に持ち運び可能にすると共に照明装置２００に試験指示スイッチ等の操作部を設け、リモコン装置３００は不要にしたことを特徴とする。
【０１８０】
これは一例であり、各機能の分離、統合は任意に行うことができる、また機能の実行は、ソフトウェア（プログラム）によって実行されるものであってもハードウェアによって実行されるものであっても良い。
【０１８１】
図２０において、照明装置２００はワンチップＣＰＵとして知られたプロセッサ２２８を備え、プロセッサ２２８に対してはＬＥＤ照明部２１６、アンテナ２３１を備えた無線通信部２３０、メモリ２３２、報知部２３６、操作部２３８及び電池電源２４０を設けている。ＬＥＤ照明部２１６（ＬＥＤ２１８）、報知部２３６のＬＥＤ２２２の各駆動回路、スピーカ２５６の駆動に係る音声合成回路、音声増幅部等は省略している。
【０１８２】
ＬＥＤ照明部２１６、無線通信部２３０、メモリ２３２、報知部２３６及び電池電源２４０の詳細は図１１の照明装置２００と基本的に同様となる。
【０１８３】
操作部２３８には点灯スイッチ２６４と消灯スイッチ２６６が設けられ、更に住警器１０に対し音圧測定試験を指示するため試験指示スイッチ２６８と宛先指定操作部２７０が設けられる。
【０１８４】
また、消灯スイッチ２６６は、ＬＥＤ照明部２１６を点灯しているときにのみ照明停止スイッチとして機能し、照明点灯中に消灯スイッチ２６６を操作すると照明（ＬＥＤ２１８）が消灯し、照明点灯と共に報知部２３６から警報を出力している場合には、照明を消灯すると共に報知部２３６からの警報出力も停止する。
【０１８５】
一方、照明点灯を行っていない通常状態においては、消灯スイッチ２６６は点検スイッチとして機能し、この状態で消灯スイッチ２６６を操作すると、所定の自己点検動作が実行されて例えば報知部２３６のスピーカ２５６から点検結果を示す音声メッセージなどが出力される。
【０１８６】
プロセッサ２２８には照明制御部２６０及び試験指示部２６２の機能が設けられる。
【０１８７】
照明制御部２６０は、住警器からの火災連動信号を受信した場合、他の照明装置から点灯連動信号を受信した場合、或いは自己の点灯スイッチ２６４の操作を検知した場合、ＬＥＤ照明部２１６に設けている白色のＬＥＤ２１８を点灯する。
【０１８８】
照明制御部２６０は、無線通信部２３０を介して火災連動信号を受信した場合に、報知部２３６のスピーカ２５６から火災を示す警報音例えば「ウーウー  火事です  火事です」を繰り返し出力させる。即ち、連動先として警報を出力する。
【０１８９】
照明制御部２６０は、ＬＥＤ照明部２１６の点灯中に住警器から火災復旧連動信号又は警報停止連動信号を受信した場合、他の照明装置から消灯連動信号を受信した場合、或いは自己の消灯スイッチ２６６の操作を検知した場合、ＬＥＤ照明部２１６のＬＥＤ２１８を消灯する。
【０１９０】
また照明制御部２６０は、各種障害を検知して対応する障害警報を出力制御する。障害処理の詳細は図１１の照明装置２００と同様となる。
【０１９１】
なお、火災連動信号の受信に基づく火災警報動作は、照明装置２００を住警器１０と同じ場所に設置する場合には不要であることから、操作部２３８に設けたディップスイッチ（図示省略）により、立上げ時に火災警報動作の禁止モードを設定し、同じ場所に設置された住警器１０と照明装置２００で火災警報の音声出力が重複しないようにする。
【０１９２】
試験指示部２６２は、操作部２３８に設けた試験指示スイッチ２６８及び宛先指定操作部２７０による指示入力を検出した場合、特定の１又は複数の住警器、又は全ての住警器を一括して宛先に指定した試験指示信号を送信する。
【０１９３】
図２１は図２０の照明装置２００における照明制御の例を示したフローチャートである。図２１において、ステップＳ８１〜Ｓ９１の処理は図１８のステップＳ５１〜Ｓ６１と同様である。
【０１９４】
続いてステップＳ９２で自己の点灯スイッチ２６４の点灯操作検知の有無を判別し、点灯操作検知を判別するとステップＳ９３でＬＥＤ照明部２１６のＬＥＤ２１８を点灯する。続いてステップＳ９４で点灯連動信号を送信する。
【０１９５】
続いてステップＳ９５で自己の消灯スイッチ２６６の消灯操作検知の有無を判別し、消灯操作検知を判別するとステップＳ９６でＬＥＤ照明部２１６のＬＥＤ２１８を消灯する。続いてステップＳ９７で点灯連動信号を送信する。
【０１９６】
続いてステップＳ９８で試験指示スイッチ２６８及び宛先指定操作部２７０による試験指示操作の検知有無を判別しており、試験指示操作の検知有りを判別するとステップＳ９９に進んで試験指示信号（連動信号）を送信して、これを受信した対象住警器１０に音圧測定試験のための試験音を出力させる。このとき送信する試験指示信号には、宛先指定操作部２７０の操作に基づく特定住警器の宛先指定となる宛先送信元符号または全ての住警器の一括宛先指定を意味する全宛先送信元符号が含まれる。
【０１９７】
なお、上記の実施形態は火災を検知して警報する住警器を例にとるものであったが、ガス漏れ警報器、ＣＯ警報器、各種の防犯用警報器を配置した警報システムやそれら各種の警報器を混在させて配置した警報システムについても同様に適用できる。
【０１９８】
また、警報器の連携は無線通信によるものでなくても良く、有線通信によっても、また有線と無線を適宜混在させるものであっても良い。無線通信は場合により（例えばリモコン装置３００と照明装置２００との通信の場合）光通信であっても良い。
【０１９９】
また、上記実施形態で示した設置状態における音圧試験は必ずしも騒音計（音圧計）等の測定器を用いた定量的な試験である必要は無く、人の聴覚により定性的な確認試験として実施するものであって良い。
【０２００】
また、上記実施形態で示した報知部のＬＥＤは、本発明の目的を達成できるものであれば、どのような表示手段を用いても構わない。そして、表示部は警報器と別体に設けられていても良い。
【０２０１】
また、上記の実施形態では、電池電源によって動作する住警器（警報器）を例に取ったが、電池電源以外の電源で動作するものにも本発明を適用できる。
【０２０２】
また、上記の実施形態は住宅用に限らずビルやオフィス用など各種用途の警報器にも適用できる。
【０２０３】
また、上記の実施形態は警報器にセンサ部と警報出力処理部を一体に設けた場合を例にとったが、他の実施形態として、センサ部と警報出力処理部を別体とした警報器であっても良い。
【０２０４】
また上記の実施形態におけるフローチャートは処理の概略例を説明したもので、処理の順番等はこれに限定されない。例えば各処理と処理の間に必要に応じて遅延時間を設けたり、他の判定を挿入したりすることができる。勿論、その他適宜に変更して良い。
【０２０５】
また本発明は上記の実施形態に限定されず、その目的と利点を損なうことのない適宜の変形を含み、更に上記の実施形態に示した数値による限定は受けない。
【符号の説明】
【０２０６】
１０，１０−１〜１０−６：住警器
１２，１１２，２１２：カバー
１４，１１４，２１４：本体
１５，１１５，２１５：取付フック
１６：検煙部
１８，１２０，２１９：音響孔
２０：警報停止スイッチ
２２，１１８，２１８，２２２：ＬＥＤ
２４：住宅
２５：試験音
２６：騒音計
２７：火災警報音
２８，１２８，２２８，３２８：プロセッサ
３１，１３１，２３１，３３１：アンテナ
３０，１３０，２３０，３３０：無線通信部
３２，１３２，２３２：メモリ
３４：センサ部
３６，１３６，２３６，：報知部
３８，１３８，２３８，３３４：操作部
４０，１４０，２４０，３４０：電池電源
４２，１４２，２４２，３４２：送信回路
４４，１４４，２４４：受信回路
４６：連動信号
４８，１４８，３４８：連番
５０，１５０，３５０：送信元符号
５２，１５２，３５２：グループ符号
５４，１５４，３５４：連動符号
５６，１５６，２５６：スピーカ
６０：警報処理部
６２：試験実行部
６４：試験中断部
１００：発信機
１４６：非常通報信号
１６０：発信制御部
１６２，２６２，３６２：試験指示部
１７０，２６８，３３８：試験指示スイッチ
１７２，２７０，３３９：宛先指定操作部
１７４，３７４：宛先送信元符号
１８０，１９０，３７０，３８０：試験指示信号
１８２，３８２：全宛先送信元符号
１９２，３７２：試験指示符号
２００：照明装置
２２０：照明停止スイッチ
２６０：照明制御部
２６４，３３５：点灯スイッチ
２６６，３３６：消灯スイッチ
３００：リモコン装置
３４６：照明制御信号
３６０：リモコン制御部
【図１】
0005932265.tif 000002
【図２】
0005932265.tif 000003
【図３】
0005932265.tif 000004
【図４】
0005932265.tif 000005
【図５】
0005932265.tif 000006
【図６】
0005932265.tif 000007
【図７】
0005932265.tif 000008
【図８】
0005932265.tif 000009
【図９】
0005932265.tif 000010
【図１０】
0005932265.tif 000011
【図１１】
0005932265.tif 000012
【図１２】
0005932265.tif 000013
【図１３】
0005932265.tif 000014
【図１４】
0005932265.tif 000015
【図１５】
0005932265.tif 000016
【図１６】
0005932265.tif 000017
【図１７】
0005932265.tif 000018
【図１８】
0005932265.tif 000019
【図１９】
0005932265.tif 000020
【図２０】
0005932265.tif 000021
【図２１】
0005932265.tif 000022